Podtech/llm-jp-corpus-v4-ja_patent huggingface dataset:
(57)【要約】      （修正有）【課題】パターカバーの紛失や汚れを防止することが可能なパターカバーを提供する。【解決手段】パターカバーは、パターカバー本体１と、パターカバー本体１の端縁に設けられたループ２とループ２に対して着脱可能に設けられた付属部品とを含む。ループ２は、パターカバー本体１と同じ素材（材質）を用いて形成されており、パターカバー本体１の端縁に縫い付けられている。付属部品は、ループ２に着脱可能に設けられたリング３と、リング３に一端が接続された接続部材としてのチェーン４と、チェーン４の他端に結合されたクリップ部５とを含む。【選択図】図１
0003222627.tif 000002
【実用新案登録請求の範囲】
【請求項１】
ゴルフに用いられるパターカバーであって、パターカバー本体と、クリップ部と、前記パターカバー本体の端縁と前記クリップ部とをつなぐ接続部材と、を含むパターカバー。
【請求項２】
請求項１に記載のパターカバーにおいて、前記パターカバー本体に設けられ、前記クリップ部を収容可能なポケットを、さらに含むパターカバー。
【請求項３】
請求項１または２に記載のパターカバーにおいて、前記パターカバー本体の端縁に設けられ、前記パターカバー本体と同じ素材を用いて形成されたループをさらに含み、前記接続部材の一端には、前記ループに嵌め合されたリングが結合されているパターカバー。
【請求項４】
請求項３に記載のパターカバーにおいて、前記リングが前記ループに着脱可能に設けられているパターカバー。
【考案の詳細な説明】
【技術分野】
【０００１】  本考案は、パターカバーに関するものである。
【背景技術】
【０００２】  ゴルフのパタープレイ中に、外したパターカバーをキャディバックやカートの籠、グリーン上等、身から離れたところに置いていた。
【考案の概要】
【考案が解決しようとする課題】
【０００３】  パターカバーを身に着けることができないため、キャディバックやカートの籠、グリーン上等に放置する形となり、プレイヤーの身から離れることにより、紛失したり汚れたりする可能性がある。また、再度放置した場所に取りに行く手間が発生する。
従って、紛失・汚れの防止と、放置した場所に取りに行く手間とを省き、前述の欠点を解決しようとするものである。
【課題を解決するための手段】
【０００４】  本考案は、ゴルフに用いられるパターカバーであって、パターカバー本体と、クリップ部と、前記パターカバー本体の端縁と前記クリップ部とをつなぐ接続部材と、を含むパターカバーを提供する。
【考案の効果】
【０００５】  上述の様に本考案のパターカバーは、未使用時のパタークラブのヘッド部分をカバーすることはもちろん、パターカバー本体に連結したクリップ部を設けたことにより、パターカバーをパタークラブから外した際に衣服（例えばズボンの後ろポケット）に装着でき、ファッショナブルであり、紛失・汚れの防止の効果を発揮できる。また、クリップ部を介して衣服等に装着するので、プレイヤーの衣服の位置如何を問わずに衣服にパターカバーを取り付けることが出来る。
【図面の簡単な説明】
【０００６】
【図１】本考案のパターカバーの正面図である。
【図２】前記パターカバーの付属部分の図である。
【図３】前記パターカバーの使用時の図である。
【図４】前記パターカバーのクリップ部をポケットに収納した状態を示す斜視図である。
【図５】前記クリップ部を前記ポケットに挟んだ状態を示す斜視図である。
【考案を実施するための形態】
【０００７】  図１は、本考案のパターカバーの正面図である。図２は、パターカバーの付属部分Ａの図である。図３は、パターカバーの使用時の図である。図４は、パターカバーのクリップ部５をポケット６に収納した斜視図である。図５は、パターカバーのクリップ部５をポケット６に挟んだ斜視図である。
パターカバーは、パターカバー本体１と、パターカバー本体１の端縁に設けられたループ２とループ２に対して着脱可能に設けられた付属部品Ａとを含む。ループ２は、パターカバー本体１と同じ素材（材質）を用いて形成されており、パターカバー本体１の端縁に縫い付けられている。付属部品Ａは、ループ２に着脱可能に設けられたリング３と、リング３に一端が接続された接続部材としてのチェーン４と、チェーン４の他端に結合されたクリップ部５とを含む。
リング３は、金属製であるが、合成樹脂製やシリコン製であってもよい。
チェーン４は、金属製であるが、合成樹脂製やシリコン製であってもよい。
接続部材は、チェーン４に代えて紐やテープであってもよい。
クリップ部５は、プレイヤーの衣服（図３の例ではズボンの後ろポケット）に係合可能に設けられている。クリップ部５は、衣服の他の部分に取り付け可能である。クリップ部５は、金属製であってもよいし、合成樹脂製であってもよいし、シリコン製であってもよい。
パターカバー本体１には、クリップ部５を収納可能なポケット６が設けられている。クリップ部５の未使用時には、クリップ部５のぶらつきを防ぐため、ポケット６にクリップ部５を収納したり、クリップ部５を本体に差し込んだり（挟んだり）することができる。
１は、合成皮革素材で縫製されたパターカバー本体である。パターカバー本体１に本体と同じ素材のループ２を縫着している。ループ２にリング３を繋げ、リング３にチェーン４を取り付け、その先にクリップ部５を繋げている。６は、１の表地と裏地の間に縫製ステッチにより設けられたポケットである。ポケット６には、クリップ部５を収納できる。
この実施形態によれば、パターカバー本体１に連結したクリップ部５を設けるので、パターカバーをパタークラブから外した際にプレイヤーの衣服に装着でき、ファッショナブルであり、紛失、汚れの防止の効果を発揮できる。また、クリップ部５が設けられているので、プレイヤーの衣服の位置の如何を問わずに、衣服にパターカバーを取り付けることができる。クリップ部５は、図４に示すように、ポケット６の内部に収納するようにしてもよいし、図５に示すように、ポケット６の壁に差し込む（挟む）ようにしてもよい。
【符号の説明】
【０００８】１  パターカバー本体
２  ループ
３  リング
４  チェーン
５  クリップ部
６  ポケット
【図１】
0003222627.tif 000003
【図２】
0003222627.tif 000004
【図３】
0003222627.tif 000005
【図４】
0003222627.tif 000006
【図５】
0003222627.tif 000007
(57)【要約】      （修正有）【課題】前脛骨筋運動に負荷を掛けて行う前脛骨筋強化器具を提供する。【解決手段】棒状本体１の両端に横材２を各々Ｔ型にして、各々が平行になるように取り付けた、至ってシンプルなもの。【選択図】図１
0003222692.tif 000002
【実用新案登録請求の範囲】
【請求項１】
棒状本体の両端に横材を各々Ｔ型で、各々平行になるように取り付けた前脛骨筋強化を含め、腕の筋力強化にもなる前脛骨筋強化器具
【請求項２】
請求項１に示す前脛骨筋強化器具の棒状本体の両端に取り付けた横材の形状は図３の平面図の通リで、長い長方形をしており、この長方形の平面は：長さ２００ｍｍ〜３００ｍｍ程度，幅は２０ｍｍ〜６０ｍｍ程度、の横材を有していることを特徴とする前脛骨筋強化器具。
【考案の詳細な説明】
【技術分野】
【０００１】本考案は前脛骨筋強化を目的とする運動器具に関するものである。
【背景技術】
【０００２】従来の前脛骨筋の筋力運動は、つま先（以下「足指」と称する）足指に何も負荷を掛けず、自力だけで上げ下げするとか、或いは最大限上げたまま、５秒間程度保持するのを繰り返す等の運動法が殆どであった。稀に足指にゴムバンドを負荷として掛けるとか、或いは足指に重りを装着する等があったが、これらは準備や、セット等しづらい為、殆ど行われてこなかった。
【考案の概要】
【考案が解決しようとする課題】
【０００３】前述の通リ従来の前脛骨筋強化法は足指の背屈に何も負荷を掛けずに行うのが殆どで、筋力強化の点で、非常に物足りない欠点があった、そこで本考案は前述の欠点を解決するため、足指の背屈運動に負荷をかける筋力強化が、何時でも簡単に、準備・セット等しなくても出来る運動器具を提供することを課題とする。
【課題を解決するための手段】
【０００４】従来の前脛骨筋強化法では負荷を掛けて行う運動法が乏しかった欠点を解決するため、本考案は棒状本体の両端に横材を各々Ｔ型にして、各々が平行になるように取り付けて、従って両端は同形になる。前記横材は図３の平面図で示す通リ、長い長方形をしている、何故長方形をしているか、“その理由は”、足指背屈運動の際は足指背面に前記横材の長方形の平面とが接着して背屈運動が行われる。この背屈運動の際に足指から横材が滑って外れにくくすることと、背屈運動の際に足指に生ずる圧痛を和らげることが必要だからである。そのため横材は長方形の平面にしているのである。尚前記棒状本体は伸縮機能を持たせることもある。
使用法は座位又は仰臥位で、両足指から両手の間に本器具を介在させて、片方の横材を両足指の背面に接着させて、他方の横材を両手に把持して、両足指の背屈運動に対して、把持する横材で、これに抵抗を加える運動を繰り返すことにより、前脛骨筋に負荷を加える筋力運動が出来る。且つ両腕の筋力運動にもなる。本器具の両端の横材は同形のため、どちらを足指側にしても良く、使い易さも兼ね備えている。
【考案の効果】
【０００５】全くシンプルで、安価な本考案器具で何時，どこでも、本器具一本さえあれば容易に筋力運動ができることにより、今や人生１００年時代、高齢化による下肢筋力低下に起因する事故、なかでも足指の招きが悪くて、つまづきによる転倒事故が減少する。又足指の背屈力強化により、車のブレ−キ・アクセルの踏み違い・踏み外しの防止にも役立つ。
【図面の簡単な説明】
【０００６】
【図１】前脛骨筋強化器具の正面図である。背面図は正面図と同一である。
【図２】前脛骨筋強化器具の右側面図である。左側面図は右側面図と同一である。
【図３】前脛骨筋強化器具の平面図である。底面図は平面図と同一である。
【図４】前脛骨筋強化器具の使用参考図である。
【符号の説明】
【０００７】１  前脛骨筋強化器具の棒状本体。
２  前脛骨筋強化器具の横材。
【図１】
0003222692.tif 000003
【図２】
0003222692.tif 000004
【図３】
0003222692.tif 000005
【図４】
0003222692.tif 000006
【手続補正書】
【提出日】令和1年5月22日(2019.5.22)
【手続補正１】
【補正対象書類名】実用新案登録請求の範囲
【補正対象項目名】全文
【補正方法】変更
【補正の内容】
【実用新案登録請求の範囲】
【請求項１】
棒状本体の両端に横材を各々Ｔ型で、各々平行になるように取り付けた前脛骨筋強化を含め、腕の筋力強化にもなる前脛骨筋強化器具。
【請求項２】
前記前脛骨筋強化器具の棒状本体の両端に取り付けた横材の形状は、長い長方形をしており、この長方形の平面は長さ２００ｍｍ〜３００ｍｍ程度、幅は２０ｍｍ〜６０ｍｍ程度、の横材を有していることを特徴とする請求項１に記載の前脛骨筋強化器具。
(57)【要約】      （修正有）【課題】着物の帯地で作った洋服用帯ベルトを提供する。【解決手段】洋服を着る際に腰に巻き付けて使用する洋服用帯ベルト１であり、腰に巻き付ける為のベルト部分と、前記ベルト部分を腰に巻き付けた際にベルト部分と胴体との間に差し込み自在な差し込み用片を備えたリボン部分とを備え、前記ベルト部分及びリボン部分が着物の帯地で形成されていると共に、前記ベルト部分の長手方向の上辺と下辺とが、上方に凸な湾曲形状で構成されている為ベルト部分が体に添う事。【選択図】図３
0003222700.tif 000002
【実用新案登録請求の範囲】
【請求項１】
洋服を着る際に腰に巻き付けて使用する洋服用帯ベルトであり、
腰に巻き付ける為のベルト部分と，前記ベルト部分を腰に巻き付けた際にベルト部分と胴体との間に差し込み自在な差し込み用片を備えたリボン部分とを備え，
前記ベルト部分及びリボン部分が着物の帯地で形成されていると共に、前記ベル部分の長手方向の上辺と下辺とが、上方に凸な湾曲形状で構成されている為ベルト部分が体に添う事を特徴とする洋服用帯ベルト。
【考案の詳細な説明】
【技術分野】
【０００１】洋服を着た時に使用する着物の帯地で作った帯ベルト
【背景技術】
【０００２】着物の帯は直線で幅が広く寸胴体型でないと綺麗に着られなく細い体型だと体にタオル等を巻いて補正してから着るので時間も掛かり自分では着られない事が多い。そこでその様な問題を解決すべく着物の帯を簡単に装着出来る技術が各社開発されている。その様な従来技術を示すものとして下記特許文献も有る
【先行技術文献】
【０００３】
【特許文献１】特開平１１−２４７０１５
【考案の概要】
【考案が解決しようとする課題】
【０００４】しかし上記特許文献に示す内容はあくまで着物を着る場合に使用する物で洋服を着る時に使用出来る様な帯は無かった。着物は着るのに時間が掛かり一人で着られる人は少ない。そこで洋服を着た時でも着物の雰囲気を残す事が出来ると共に一人で簡単に装着する事が出来る着物の帯地を使った洋服用の帯ベルトの提供を記述する
【課題を解決するための手段】
【０００５】洋服を着る際に腰に巻き付けて使用する洋服用帯ベルトであり、腰に巻き付ける為のベルト部分と，前記ベルト部分を腰に巻き付けた際にベルト部分と胴体との間に差し込み自在な差し込み用片を備えたリボン部分とを備え，前記ベルト部分及びリボン部分が着物の帯地で形成されていると共に、前記ベルト部分の長手方向の上辺と下辺とが、上方に凸な湾曲形状で構成されている為ベルト部分が体に添う事を特徴とする洋服用帯ベルト。
【考案の効果】
【０００６】洋服を着た時に装着する帯ベルトは着物の帯地で作る為着物の雰囲気が残り簡単に一人で装着出来る為、体型年齢に関係なく便利にオシャレを楽しむ事が出来る。湾曲形状である為体に添い、着崩れも無く楽に長時間装着できる。
【図面の簡単な説明】
【０００７】
【図１】着物の帯地で作った帯ベルトを洋服に装着した全体像を示す図。（ａ）  ２−洋服  ２０−ベルト部分  （ｂ）  ２−洋服  ２０−ベルト部分  １０−リボン部分
【図２】帯の形状と体のラインとの関係を示す図  （ａ）  ４−着物の帯  ３−胴体
【図３】帯ベルトの形状と体のラインとの関係を示す図  （ａ）  １−帯ベルト  ３−胴体
【図４】ベルト部分を３方から見た図。（ａ）前  ２０−ベルト部分  （ｂ）後  ２０−ベルト部分  ２１−マジックテープ  （ｃ）横  ２０−ベルト部分  ２１−マジックテープ
【図５】リボン部分とリボン部分を帯に差し込んだ時の後と横の図  （ａ）リボン部分  １０−リボン部分  １１−ベルト差し込み用部分  （ｂ）帯にリボンを差し込んだ後姿  １０−リボン部分  ２０−ベルト部分  （ｃ）帯にりぼんを差し込んだ横姿  １０−リボン部分  ２０−ベルト部分
【考案を実施するための形態】
【０００８】着物は、自分では着られ無いが帯ベルトはベルト部分をウエストに巻いて両端にマジックテープが付いてるのでそれを止めるだけで結べる。図４−ｂ−１ウエスト寸法も５〜６ｃｍは調節出来る。
後のリボン部分はベルト部分と胴体の間に差し込む為の硬い三角片をリボンと固定している。  図５−ａ，ｃ
着物の帯は着物に合わせる為幅も広く直線で出来ている．体をタオル等で補正して着る事も有り自分では着られ無い事が多い。  図２−ａ
帯ベルトは着物の帯地で作る為生地巾が限られているがその中で体に添うような形状に作る為着崩れも無く、楽に着ていられる。  図３−１
洋服用の帯ベルトは華やかさと和洋折中の雰囲気が有り着物の雰囲気を残し、着物の帯の様に太く無く体型が小柄でも着こなせる。図１‐ａ
海外でも着物はブームで、憧れも強く欲しくても自分で着られ無い為諦めている多くの人に喜ばれる。
着物は動きが制限されるが帯ベルトは苦しくなく着崩れもしないので安心して外出出来、帯ベルトを巻くだけで持っている洋服が見違える様なドレスに成る。
図１−ａ，ｂ
着物は置いているだけの人が多いが自分の帯を着物の帯ベルトに作り替えると着物が再生され、洋服として着るので着る頻度も高くなり次の代まで引き継ぐ事も出来，日本の伝統を残していける
【産業上の利用可能性】
【０００９】着物は一人で着られない人が大半だが、帯ベルトは巻くだけで誰でも着用出来、オシャレで持っている洋服がパーティー着にもなる。海外でも近年着物は人気が有り、着たいという要望も多いが自分では着られない為諦めている人に周知出来れば需要が広がって行く可能性はある。
【符号の説明】
【０００１０】  １  帯ベルト
２  洋服
３  胴体
４  着物の帯
１０  リボン部分
１１  ベルト部分に差し込み片
２０  ベルト部分
２１  マジックテープ
【図１】
0003222700.tif 000003
【図２】
0003222700.tif 000004
【図３】
0003222700.tif 000005
【図４】
0003222700.tif 000006
【図５】
0003222700.tif 000007
【手続補正書】
【提出日】令和1年6月5日(2019.6.5)
【手続補正１】
【補正対象書類名】実用新案登録請求の範囲
【補正対象項目名】請求項１
【補正方法】変更
【補正の内容】
【請求項１】
洋服を着る際に腰に巻き付けて使用する洋服用帯ベルトであり、
腰に巻き付ける為のベルト部分と，前記ベルト部分を腰に巻き付けた際にベルト部分と胴体との間に差し込み自在な差し込み用片を備えたリボン部分とを備え，前記ベルト部分及びリボン部分が着物の帯地で形成されていると共に、前記ベルト部分の長手方向の上辺と下辺とが、上方に凸な湾曲形状で構成されている為ベルト部分が体に添う事を特徴とする洋服用帯ベルト
(57)【要約】      （修正有）【課題】農産物を野生動物の被害から守る、撒き菱とそれに組合わされる付属マットを提供する。【解決手段】対象とする野生動物に合わせた長さ、太さの金属棒１の４本を正三角錐の形に整形加工し、各先端３が皮膚に突き刺さらないよう面取りされた撒き菱と、目立つ明るい色とし、扱い易いよう大きさを５０センチ角程度にし、撒き菱にあわせた穴がタテヨコ１０センチ程度の間隔に開けられたことを特徴とする付属マットと、から組合わされる。【選択図】図２
0003222691.tif 000002
【実用新案登録請求の範囲】
【請求項１】
撒き菱：対象とする野生動物に合わせた長さ、太さの金属棒４本を正三角錐の形に整形加工し、各先端が皮膚に突き刺さらないよう面取りすること。
【請求項２】
付属マット：目立つ明るい色とし、扱い易いよう大きさを５０センチ角程度にし、撒き菱にあわせたた穴をタテヨコ１０センチ程度の間隔に開けること。
【考案の詳細な説明】
【考案の詳細な説明】
【０００１】
【技術分野】
【０００２】細い金属棒を正三角錐に加工、菱形にした製品及びこれを差し込む付属の敷きマットから成るものである。
【背景技術】
【０００３】従来から、農産物を野生動物の被害から守る対策として、金網フエンスや鉄板を何枚も継ぎ足した囲いで動物達の侵入を防いで来た、維持管理の大変さに加え足元を掘り返したり体当たりで押し倒したり、隙間をこじ開けたり又太陽光発電で発光したり大きな音で威嚇したり、之も馴れてしまうと余り効果が期待できない現状である。
【考案が解決しようとする課題】
【０００４】・囲い用金網フエンス、亜鉛鉄板の何十何百枚にも上る設置作業に要する多大な労力の解放。
・音や光又、独特の臭いの発生装置による対策よりも効果的な製品の提供。
・危険な電流を流す電気柵―死亡事故を招く危険な手段からの解放。
【課題を解決するための手段】
【０００５】この考案は、忍者が逃走する時使用する撒き菱にヒントを得たものである。野生動物として、主に猪・猿・鹿・熊を対象にしたものです。（数値：参考値であり目安です）
・撒き菱：ヒズメの深さから金属棒の長さを３〜４センチ、踏まれた時折れ曲がらないよう太さを４ミリ程度とする。地面にばら撒いたとき必ず１本が上を向くよう正三角錐の形状とし、各先端を丸く面取りし踏んずけた時ヒズメの部分を滑らせ指の股など柔らかい肉の部分に当たるようにし激痛を与える様にしたものである。
・付属マット：目立つ明るい色とし、扱い易いよう大きさを５０センチ角程度にし、撒き菱に合わせた穴をタテヨコ１０センチ間隔にあけたものである。此れに撒き菱を差込み、撒いた撒き菱の周囲に敷き並べることにより危険地帯であることを目視により認識させ忌避行動をうながすものである。
【考案の効果】
【０００６】・手間：撒き菱自体も野球ボール位で扱い易く、先端も面取りしてあり安全である、ただ撒くだけ又撤収も熊手でかき集めるだけである。
・忌避効果：付属の敷きマットを並べ、バリヤーベルトを構成、危険地帯であることを目視させ又、此れを跳び越えた先にも幅１メートル程度帯状に撒き菱をし、地雷原のごとき危険地帯であることを認識させ、又周囲の人達にも注意を促すものである。
【図面の簡単な説明】
【０００７】
【図１】  撒き菱の平面図
【図２】  撒き菱の斜視図
【図３】  付属マットの平面図
【図４】  付属マットの断面図
【符号の説明】
【０００８】１      金属棒（径４ミリ、長さ４センチ程度）
２      各頂点を結んだ稜線（正三角錐とする）
３      丸く面取りした端部
４      マット（５０センチ角、厚４ミリ程度）
５      撒き菱差込み用穴
【図１】
0003222691.tif 000003
【図２】
0003222691.tif 000004
【図３】
0003222691.tif 000005
【図４】
0003222691.tif 000006
【手続補正書】
【提出日】令和1年6月5日(2019.6.5)
【手続補正１】
【補正対象書類名】実用新案登録請求の範囲
【補正対象項目名】全文
【補正方法】変更
【補正の内容】
【実用新案登録請求の範囲】
【請求項１】
対象とする野生動物に合わせた長さ、太さの金属棒４本を正三角錐の形に整形加工し、各先端が足の皮膚に突き刺さらないように丸く面取りされた撒き菱と、その先端が通るような撒き菱にあわせた穴をタテヨコ１０センチ角ていどの間隔に開けた、目立つ明るい色とし扱い易いよう大きさを５０センチ角程度にしたことを特徴とする付属マットと撒き菱を組み合せた考案です。
(57)【要約】      （修正有）【課題】電車の乗降がスムーズになり、電車の遅延防止が期待できる電車ドアを提供する。【解決手段】車両の乗車側、降車側ドア１、４にタッチ式ドア自動開閉機３、６を設置する。【選択図】図１
0003222698.tif 000002
【実用新案登録請求の範囲】
【請求項１】
電車に乗降する際、ドアの開閉をタッチ式自動開閉機にする。
【考案の詳細な説明】
【技術分野】
【０００１】  電車ドア製造業
【背景技術】
【０００２】
【先行技術文献】
【特許文献】
【０００３】
【特許文献１】
【非特許文献１】
【考案の概要】
【考案が解決しようとする課題】  技術的に可能と思われるが開発されていない。
【課題を解決するための手段】  各製造事業者の技術開発
【考案の効果】  電車の乗降がスムーズになり、電車の遅延防止が期待できる。
【図面の簡単な説明】
【図１】車両の乗車側、降車側ドアにタッチ式ドア自動開閉機を設置する。
【考案を実施するための形態】
車両の乗車側、降車側ドアにタッチ式ドア自動開閉機を設置する。
【実施例】  説明しません。
【産業上の利用可能性】  電車による交通環境の改善が期待できる。
【符号の説明】  １  乗車側タッチ式ドア自動開閉機
２  同上  ボタン式ドア自動開閉機（既存）
３  同上  タッチパネル
４  降車側タッチ式ドア自動開閉機
５  同上  ボタン式ドア自動開閉機（既存）
６  同上  タッチパネル
【図１】
0003222698.tif 000003
【手続補正書】
【提出日】令和1年6月10日(2019.6.10)
【手続補正１】
【補正対象書類名】実用新案登録請求の範囲
【補正対象項目名】全文
【補正方法】変更
【補正の内容】
【実用新案登録請求の範囲】
【請求項１】
車両の乗車側、降車側ドアにタッチ式ドア自動開閉機を設置したことを特徴とする電車ドア。
(57)【要約】      （修正有）【課題】爪を切る時に光が、反射しない反射防止爪切りを提供する。【解決手段】爪切り１の全体に反射防止塗料２を塗ることを特徴とする。【選択図】図１
0003222606.tif 000002
【実用新案登録請求の範囲】
【請求項１】
爪切り（１）に反射防止塗料（２）を塗った、反射防止爪切り。
【考案の詳細な説明】
【技術分野】
【０００１】  本考案は、爪切りに反射防止塗料を塗って光の反射を防いで、爪を切りやすくした反射防止爪切りに関するものである。
【背景技術】
【０００２】  従来、爪切りの刃先が自由に回転して爪を切りやすい角度に設定できて、大小の刃先や形状の異なる刃先等の複数の刃先を有する爪切りは提案されていた。
【先行技術文献】
【特許文献】
【０００３】
【特許文献１】特開２０１０−０８８８５７
【非特許文献】
【考案の概要】
【考案が解決しようとする課題】
【０００４】  これには、次のような欠点があった。
角度を調節できていくつかの異なる刃先を持っていることで、たしかに切りやすいが日光が当たる場所などの明るい場所では光が反射して切りずらい事は、同じであった。
本考案は、以上のような欠点をなくすために、なされたものである。
【課題を解決するための手段】
【０００５】  爪切り（１）に反射防止塗料（２）を塗る。
本考案は、以上の構成よりなる反射防止爪切りである。
【考案の効果】
【０００６】  光の反射を防ぐ事で爪が切りやすくなるだけでなく、誤って指の皮膚を切ってしまう可能性も下げることができる。
反射防止塗料であれば光を反射しないので、様々な色の反射防止塗料を使用して例えば赤色の爪切りや青色の爪切りなどのように、爪切りをカラフルにすることもできる。
【図面の簡単な説明】
【０００７】
【図１】  本考案の斜視図である。
【考案を実施するための形態】
【０００８】  以下、本考案を実施するための形態について説明する。
爪切り（１）に反射防止塗料（２）を塗る。
本考案は、以上のような構造である。
本考案を使用するときは、爪切りを手に持って爪を切る。
他の実施例を説明する。
爪切りにやすりを付けてやすりにも反射防止塗料を塗ってもよい。
【符号の説明】
【０００９】  １  爪切り
２  反射防止塗料
【図１】
0003222606.tif 000003
【手続補正書】
【提出日】令和1年5月30日(2019.5.30)
【手続補正１】
【補正対象書類名】実用新案登録請求の範囲
【補正対象項目名】全文
【補正方法】変更
【補正の内容】
【実用新案登録請求の範囲】
【請求項１】
爪切り（１）の全体に反射防止塗料（２）を塗った、反射防止爪切り。
(57)【要約】      （修正有）【課題】中通し釣り用ウキについて、釣り糸を切断することなく簡単に交換可能とする。【解決手段】ウキの外部側面から中心に向かって縦割りの溝１を設け、その中心の上下に釣り糸を通す３から５回程度巻いた螺旋２を付け、螺旋の先端を若干外部に出して垂直に浮き本体方向に曲げる。釣り糸を切ることなく、先ず溝に沿わせて挿入し、上下の螺旋に沿わせて回転させて螺旋の中心を釣り糸を通すことにより、簡単に釣り糸をワンタッチでウキの中心を通すことが可能となる。【選択図】図２
0003222601.tif 000002
【実用新案登録請求の範囲】
【請求項１】
外部側面から中心に向かって縦割りの溝を設け、その中心の上下に釣り糸を通す３から５回程度巻いた螺旋を付け、その螺旋の先端を若干外部に出して垂直に本体方向に曲げた構造の釣り用中通しウキ。
【考案の詳細な説明】
【技術分野】
【０００１】
本考案は、釣り糸を切断することなく簡単に交換可能にする中通し釣り用ウキに関するものである。
【背景技術】
【０００２】
釣りに使用されるウキは、釣り糸が中心を通るため糸がらみが極めて少ないとして、他の形状のウキに比べ、中通しウキが全体の９５％以上の割合で使用されているとされる。
【０００３】
しかしながら、従来の中通しウキは、交換にさいし釣り糸の切断を必要とし、煩わしく、又時間も浪費してきた。
【０００４】
これを改善する方法として、幾つか考案されているが、それらはウキ本体の他に部品を必要とし、それらの部品はさらに小さいため、失ったり、細かい作業を必要としたりする。
【先行技術文献】
【特許文献】
【０００５】
【特許文献１】特開２００２−２２３６８２
【特許文献２】特開２００４−２２２５２３
【特許文献３】特開２００７−２０５４２
【特許文献４】特開２００７−２８９０２
【非特許文献】
【０００６】
【非特許文献１】平ー１０５３６３
【考案の概要】
【考案が解決しようとする課題】
【０００７】
解決しようとする問題点は、ウキ本体以外の部品を必要とせず、しかも簡単に釣り糸を切らずに着脱出来ることを可能とする点にある。
【課題を解決するための手段】
【０００８】
本考案は、ウキの外部側面から中心に向かって縦割りの溝を設け、その中心の上下に釣り糸を通す３から５回程度巻いた螺旋を付けたことを特徴とする。
【０００９】
さらに、釣り糸が螺旋から自然には脱落しないように、螺旋の先端を若干外部に出して垂直に浮き本体方向に曲げた構造を特徴とする。
【考案の効果】
【００１０】
本考案において、釣り糸を切ることなく、先ず溝に沿わせて挿入し、上下の螺旋に沿わせて回転させて螺旋の中心を釣り糸を通すことにより、簡単に釣り糸をワンタッチでウキの中心を通すことが可能となるという利点がある。
【００１１】
釣り糸を外すときは、その逆の操作を行えばよく、したがって着脱が簡単かつ確実に出来るようになる。
【図面の簡単な説明】
【００１２】
【図１】図１はウキ全体の図である。
【図２】図２は螺旋部分の拡大図である。
【図３】図３は螺旋部分に釣り糸を通す途中の図である。（実施例１）
【考案を実施するための形態】
【００１３】
ウキの外部側面から中心に向かって縦割りの溝を設け、その中心の上下に釣り糸を通す３から５回程度巻いた螺旋を付け、螺旋の先端を若干外部に出して垂直に浮き本体方向に曲げた。
【実施例】
【００１４】
図３において、縦割りの溝に沿わせた釣り糸を、さらに螺旋に沿わせて巻き込み、先端の垂直部を回避させて螺旋の中心を通るようにしている途中図である。
【産業上の利用可能性】
【００１５】
釣りに使用されるウキの全体の９５％以上の割合で使用されているとされる中通しウキのすべてに利用可能である。
【符号の説明】
【００１６】
１    縦割り溝
２    螺旋
３    螺旋先端の垂直部
４    釣り糸
【図１】
0003222601.tif 000003
【図２】
0003222601.tif 000004
【図３】
0003222601.tif 000005
(57)【要約】      （修正有）【課題】タイヤ破裂による高圧、爆風を抑制するタイヤ内充填剤を提供する。【解決手段】タイヤ１の内部に充填され、タイヤ１内形状を有する、スポンジ状または発泡ウレタン状の材質からなるタイヤ内充填材２である。【選択図】図１
0003222602.tif 000002
【実用新案登録請求の範囲】
【請求項１】
タイヤ破裂による爆風の抑制、変形の抑制機能により事故の低減を図る。
【考案の詳細な説明】
【考案の概要】
タイヤ破裂により高圧、多量空気による爆風をスポンジ状、発泡ウレタン状の材質を充填することで抑制する。
【考案が解決しようとする課題】タイヤ破裂により高圧、多量空気は爆風を生み作業者、歩行者、周囲に大きなダメージを与える。
タイヤの急激な変形は運転操作を誤らせ重大事故を引き起こし、また車両の移動を困難にする。
【課題を解決するための手段】タイヤ内にスポンジ状、発泡ウレタン状の材質を充填し、タイヤ空気圧は現状通りとする。
【考案の効果】タイヤ破裂による急激な爆風の吐出、変形を抑制する。
【図面の簡単な説明】
【図１】タイヤ内にスポンジ状、発泡ウレタン状の物質を充填する模型図。
【符号の説明】▲１▼既成タイヤ
▲２▼タイヤ形状に合わせたスポンジ状、発泡ウレタン状の材質を充填する。
【図１】
0003222602.tif 000003
【手続補正書】
【提出日】平成30年12月27日(2018.12.27)
【手続補正１】
【補正対象書類名】実用新案登録請求の範囲
【補正対象項目名】全文
【補正方法】変更
【補正の内容】
【実用新案登録請求の範囲】
【請求項１】
タイヤ破裂による爆風と変形をタイヤ内形状に充填したスポンジ状、発泡ウレタン状材質により抑制することを特徴とするタイヤ内充填材。
【手続補正書】
【提出日】平成31年3月19日(2019.3.19)
【手続補正１】
【補正対象書類名】実用新案登録請求の範囲
【補正対象項目名】全文
【補正方法】変更
【補正の内容】
【実用新案登録請求の範囲】
【請求項１】
タイヤ内部に充填することを特徴とする、スポンジ状または発泡ウレタン状の材質からなるタイヤ内充填材。
【手続補正書】
【提出日】令和1年5月28日(2019.5.28)
【手続補正１】
【補正対象書類名】実用新案登録請求の範囲
【補正対象項目名】全文
【補正方法】変更
【補正の内容】
【実用新案登録請求の範囲】
【請求項１】
タイヤの内部に充填され、タイヤ内形状を有する、スポンジ状または発泡ウレタン状の材質からなるタイヤ内充填材。
(57)【要約】      （修正有）【課題】鮎の友釣り時における根掛かり時に、鼻カン又は逆針を引き千切り囮鮎を回収する鮎囮根掛かり外しを提供する。【解決手段】既成の伸縮自在の指示棒１の先端にある線径２．０ｍｍの鉄線でできた道糸掛け器２をＵ字形を潰した形に折り曲げ、隙間の間隔を１．０ｍｍ前後にして、囮鮎から下の鼻カン仕掛け又は逆針仕掛けに掛かり良くした。仕掛けを引き千切ることができるようになり囮鮎の回収率の向上に役立つ。【選択図】図２
0003222607.tif 000002
【実用新案登録請求の範囲】
【請求項１】
既成の伸縮自在の指示棒の先端に線径２．０ｍｍの鉄線を折り曲げ、隙間の間隔を１，０ｍｍ前後にして囮鮎からの下の鼻カン仕掛け及び逆針仕掛けに掛かり良くしたところを特徴とする鮎囮根掛かり外しである。
【考案の詳細な説明】
【技術分野】
【０００１】本考案は、鮎の友釣りにおける根がり時の対応に関するものである。
【背景技術】
【０００２】鮎の友釣りにおいて、川底に掛け針が掛かった時は、伸縮自在の指示棒の先端に線径１．５ｍｍ前後の金属棒をＵ字型又は円形に加工した道具を使用していたが、囮鮎回収ができない場合があった。
【先行技術文献】
【特許文献】
【０００３】
【特許文献１】特開２００４−０６５０３１
【考案の概要】
【考案が解決しようとする課題】
【０００４】従来の根掛かり外しは、長さ１．０ｍ前後の指示棒の先端に金属線をＵ字形又は円形に加工した物を、鼻カンを装着した囮鮎から掛け針間まで持っていき根掛かり外しを揺さぶって囮鮎を回収するもので、掛け針が外れない場合があるという欠点を解決しようとするものである。
【課題を解決するための手段】
【０００５】本考案は、長さ０．９ｍ前後の指示棒の先端を厚さ２．０ｍｍの鉄線を折り曲げ隙間の間隔を１．０ｍｍ前後にすることによって鼻カンと掛け針の間にある逆針又は鼻カンの位置で先端が掛かり止まるようにしてみた。
【考案の効果】
【０００６】上述のように改良した結果、先端が鼻カン又は逆針の位置に掛かり止まることで、仕掛けを引き千切ることができるようになり仕掛けの損失はあるが囮鮎を回収することが可能となった。
【図面の簡単な説明】
【０００７】
【図１】本考案を実施する場合の図である。
【図２】本考案の先端部の拡大図である。
【考案を実施するための形態】
【０００８】鮎の友釣り仕掛けの掛け針が根掛かりした場合、囮鮎が確認出来る所まで行き道糸を手で摘んで道糸を張り、根掛かり外しを最長に延ばしたら囮鮎の下方の鼻カン又は逆針を先端の鉄線を折り曲げた１．０ｍｍの隙間に入れ、掛かったらそのまま引き千切ることで囮鮎を回収する。
【符号の説明】
【０００９】１  根掛かり外し本体
２  道糸掛け器
【図１】
0003222607.tif 000003
【図２】
0003222607.tif 000004
【手続補正書】
【提出日】令和1年5月24日(2019.5.24)
【手続補正１】
【補正対象書類名】実用新案登録請求の範囲
【補正対象項目名】全文
【補正方法】変更
【補正の内容】
【実用新案登録請求の範囲】
【請求項１】
既成の伸縮自在の指示棒の先端に線径２．０ｍｍの鉄線を折り曲げ、隙間の間隔を１，０ｍｍ前後にして囮鮎からの下の鼻カン仕掛け及び逆針仕掛けに掛かり良くしたところを特徴とする鮎囮根掛かり外し。
(57)【要約】      （修正有）【課題】折りたたみやすく、段取りが少なく、折りたたんだ後の体積が小さく、軽量で、しかも展開した後の体積が大きく、たくさんのものを収納できる携帯型収納袋を提供する。【解決手段】折りたたみ可能な携帯型収納袋は、展開後に長方形を呈し、上下両側エッジにいずれもファスナー５が設置される、折りたたみ可能な袋体を含み、ファスナーの内側には複数の結節部を介して袋体に接続された提げ手バンドが平行に設置され、袋体にはファスナーに平行な折り目が均一に設置され、袋体は折り目に沿って短冊状に折りたたんで、両端がエッジ包みバンド６で包んで固定される。【選択図】図２
0003222659.tif 000002
【実用新案登録請求の範囲】
【請求項１】
展開後に長方形を呈し、その両側エッジにいずれもファスナー（５）が設置される、折りたたみ可能な袋体（１）を含み、前記ファスナー（５）の内側には複数の結節部（３）を介して折りたたみ可能な袋体（１）に接続された提げ手バンド（４）が平行に設置され、前記折りたたみ可能な袋体（１）にはファスナー（５）に平行な折り目（２）が均一に設置され、前記折りたたみ可能な袋体（１）は折り目（２）に沿って短冊状に折りたたんで、両端がエッジ包みバンド（６）で包んで固定されている
ことを特徴とする折りたたみ可能な携帯型収納袋。
【請求項２】
提げ手バンド（４）の中間部にある２つの結節部（３）の間の距離は、隣接するその他の結節部（３）の間の距離よりも大きい
ことを特徴とする請求項１に記載の折りたたみ可能な携帯型収納袋。
【請求項３】
その片端のエッジ包みバンド（６）の中間部にはバンド（８）が接続され、このバンド（８）の端部とエッジ包みバンド（６）の中間部にはセットになったボタン（７）が設置される
ことを特徴とする請求項１に記載の折りたたみ可能な携帯型収納袋。
【請求項４】
両側のファスナー（５）の内側中間部にはセットになったボタン（７）が設置される
ことを特徴とする請求項１に記載の折りたたみ可能な携帯型収納袋。
【考案の詳細な説明】
【技術分野】
【０００１】
本考案は、収納袋分野に関し、特に折りたたみ可能な携帯型収納袋に関する。
【背景技術】
【０００２】
収納袋は、日常生活でよく使われるものとして、買い物に出かける時に常に携帯する必要がある、今では市販されている折りたたみ可能な収納袋がたくさんあるが、これらの収納袋は折りたたみにくく、一定の手順ややり方では早く折り畳めない人が多く、使いにくく、また折りたたんだ後の体積も小さくなく、携帯しにくいという問題がある。
【考案の概要】
【考案が解決しようとする課題】
【０００３】
本考案が解決しようとする技術的課題は、折りたたみやすく、段取りが少なく、折りたたんだ後の体積が小さく、軽量で、しかも展開した体積が大きく、たくさんのものを置ける、折りたたみ可能な携帯型収納袋を提供することである。
【課題を解決するための手段】
【０００４】
本考案は、その技術的課題を解決するために用いられる技術的解決手段は、展開後に長方形を呈する、その両側エッジにいずれもファスナーが設置される、折りたたみ可能な袋体を含み、前記ファスナーの内側には複数の結節部を介して折りたたみ可能な袋体に接続された提げ手バンドが平行に設置され、前記折りたたみ可能な袋体にはファスナーに平行な折り目が均一に設置され、前記折りたたみ可能な袋体は折り目に沿って短冊状に折りたたんで、両端がエッジ包みバンドで包んで固定されている、折りたたみ可能な携帯型収納袋を提供することである。
【０００５】
さらに、提げ手バンドの中間部にある２つの結節部の間の距離は、隣接するその他の結節部の間の距離よりも大きい。
【０００６】
さらに、その片端のエッジ包みバンドの中間部にはバンドが接続され、このバンドの端部とエッジ包みバンドの中間部にはセットになったボタンが設置される。
【０００７】
さらに、両側のファスナーの内側中間部にはセットになったボタンが設置される。
【考案の効果】
【０００８】
本考案は、折りたたみ可能な携帯型収納袋に関し、折りたたみやすく、段取りが少なく、折りたたんだ後の体積が小さく、軽量で、しかも展開した後の体積が大きく、たくさんのものを置ける。
【図面の簡単な説明】
【０００９】
【図１】本考案の使用状態の構造図である。
【図２】本考案の使用状態の構造図である。
【図３】本考案の展開状態の構造図である。
【図４】本考案の折りたたみ状態の構造図である。
【図５】本考案の折りたたんだ最終的な状態の構造図である。
【考案を実施するための形態】
【００１０】
以下、具体的な実施例を組み合わせて、本考案をさらに詳しく説明する。なお、これらの実施例は、本考案を説明するだけで、本考案の範囲を制限するものではない。さらに、本考案に記載したコンテンツを基に、当業者は本考案についてさまざまな変更と補正が行われ、これらの等価な形態は、本願に添付した特許請求の範囲に属する。
【００１１】
図１−５に示すように、本考案の実施形態に係る折りたたみ可能な携帯型収納袋は、展開後に長方形を呈する、その両側エッジにいずれもファスナー５が設置される、折りたたみ可能な袋体１を含み、前記ファスナー５の内側には複数の結節部３を介して折りたたみ可能な袋体１に接続された提げ手バンド４が平行に設置され、前記折りたたみ可能な袋体１にはファスナー５に平行な折り目２が均一に設置され、前記折りたたみ可能な袋体１は折り目２に沿って短冊状に折りたたんで、両端がエッジ包みバンド６で包んで固定されている。
【００１２】
提げ手バンド４の中間部にある２つの結節部３の間の距離は、隣接するその他の結節部３の間の距離よりも大きいので、中間部の提げ手バンド４の使用際に持ち上げることができるようになる。
【００１３】
その片端のエッジ包みバンド６の中間部にはバンド８が接続され、このバンド８の端部とエッジ包みバンド６の中間部にはセットになったボタン７が設置され、折りたたみ状態で、バンド８とエッジ包みバンド６にあるボタン７によって折りたたみ可能な袋体１を撒き付けて、体積を最小化させることができる。
【００１４】
両側のファスナー５の内側中間部にはセットになったボタン７が設置され、開口を容易に閉めるようになる。
【００１５】
本考案は、折りたたみやすく、段取りが少なく、折りたたんだ後の体積が小さく、軽量で、しかも展開した後の体積が大きく、たくさんのものを置ける。
【図１】
0003222659.tif 000003
【図２】
0003222659.tif 000004
【図３】
0003222659.tif 000005
【図４】
0003222659.tif 000006
【図５】
0003222659.tif 000007
(57)【要約】      （修正有）【課題】構造が簡単で安全に使用でき、大電流特性と、高透磁率と、温度変化に対する高い耐性とを有するトランスのコアの構造を提供する。【解決手段】ベース２と、Ｕ字型コア３と、Ｉ字型コア４とを含むコア本体を備え、Ｕ字型コアとＩ字型コアはそれぞれベースの両端部に設置され、Ｉ字型コアの端面に溝５が形成され、Ｉ字型コアにコイルが巻回され、Ｉ字型コアに貫通孔８が設けられ、貫通孔はコイルの上方に位置し、且つ溝から離れており、Ｕ字型コアとＩ字型コアの間に銅片６が設置され、ベースにスロット９が形成され、銅片はスロット内に取り外し可能に設置される。フェライト製のコアは良好なフィルタリング効果を有し、二種類のコアを組み合わせることで、トランスの磁力線とインダクタの磁力線が互に独立し、作業の安定性を改善する。さらに貫通孔を設置することでコアの安全性を向上させる。【選択図】図１
0003222379.tif 000002
【実用新案登録請求の範囲】
【請求項１】
ベースと、Ｕ字型コアと、Ｉ字型コアとを含むコア本体を備え、且つ前記Ｕ字型コアとＩ字型コアはそれぞれベースの両端部に設置され、前記Ｉ字型コアの端面に溝が形成され、前記Ｉ字型コアにコイルが巻回され、前記Ｉ字型コアに貫通孔が設けられ、前記貫通孔はコイルの上方に位置し、且つ溝から離れており、前記Ｕ字型コアとＩ字型コアの間に銅片が設置され、前記ベースにスロットが形成されており、前記銅片がスロット内に設置されることを特徴とするトランスのコアの構造。
【請求項２】
前記Ｉ字型コアはフェライト材料で作られることを特徴とする請求項１記載のトランスのコアの構造。
【請求項３】
前記ベースの幅は前記Ｕ字型コアの直径より大きいことを特徴とする請求項１記載のトランスのコアの構造。
【請求項４】
前記ベースの幅は前記Ｉ字型コアの直径より大きいことを特徴とする請求項１記載のトランスのコアの構造。 
【考案の詳細な説明】
【技術分野】
【０００１】
本考案は、コアに関し、特にトランスのコアの構造に関する。
【背景技術】
【０００２】
中国経済の継続的な発展に伴い、土地資源がますます不足しているため、変電所の床面積は限られていることが多く、オーバーヘッドバスバーの出入り方向も限られている。変電所のオーバーヘッドバスバーの方向に合わせるためには、トランスブッシュの配列方向をそれと一致する方向に変更することが常に必要である。トランスブッシュの配列方向は横方向に配置されるのが一般的であるが、トランスブッシュを縦方向に配置する必要がある場合には、トランスの内部にリードを配置してトランスブッシュを縦方向に配置する必要がある。しかし、トランス内部のリード線の配置が複雑であるだけでなく、その接続が困難であり、そのうえトランスブッシュを縦方向に配置するにはトランスタンクのサイズを大きくする必要がある。それに伴ってトランスの容積、油量、トランスの材質、加工コストおよび輸送コストが増やされるため、トランスのコストが高くなる。
【０００３】
従って、上記課題を解決するために、本考案は新しい技術的な解決策を提案する。
【考案の概要】
【考案が解決しようとする課題】
【０００４】
本考案は一種のトランスのコアの構造を提供する。
【課題を解決するための手段】
【０００５】
本考案が採用する技術的な解決策は：
ベースと、Ｕ字型コアと、Ｉ字型コアとを含むコア本体を備え、且つ前記Ｕ字型コアとＩ字型コアはそれぞれベースの両端部に設置され、前記Ｉ字型コアの端面に溝が形成され、Ｉ字型コアにコイルが巻回され、前記Ｉ字型コアに貫通孔が設けられ、前記貫通孔はコイルの上方に位置し、且つ溝から離れており、前記Ｕ字型コアとＩ字型コアの間に銅片が設置され、前記ベースにスロットが形成されており、前記銅片がスロット内に設置されるトランスのコアの構造とする。
【０００６】
また、前記Ｉ字型コアはフェライト材料で作られる。
【０００７】
また、前記ベースの幅はＵ字型コアの直径より大きい。
【０００８】
また、前記ベースの幅はＩ字型コアの直径より大きい。
【考案の効果】
【０００９】
本考案の有益な効果は、構造が簡単で安全に使用でき、大電流特性と、高透磁率と、温度変化に対する高い耐性とを有し、フェライト製なのでコアは良好なフィルタリング効果を有する。さらに、二種類のコアを組み合わせることにより、トランスの磁力線とインダクタの磁力線が後続の作業に互に独立しており、相互に影響を及ぼすことなく、従って作業の安定性を改善することができる。さらに、貫通孔を設置することでコアの安全性を向上させる事ができる。銅片は取り外し可能に取り付けられることにより、さまざまなニーズを満たせることができ、且つ多様な機能を備える。
【図面の簡単な説明】
【００１０】
【図１】本考案の構造の概略図である。
【考案を実施するための形態】
【００１１】
図１に示すのは、ベース２と、Ｕ字型コア３と、Ｉ字型コア４とを含むコア本体１を備え、且つＵ字型コア３とＩ字型コア４はそれぞれベース２の両端部に設置され、Ｉ字型コア４の端面に溝５が形成され、Ｉ字型コア４にコイル７が巻回され、Ｉ字型コア４に貫通孔８が設けられ、貫通孔８はコイル７の上方に位置し、且つ溝５から離れて、Ｕ字型コア３とＩ字型コア４の間に銅片６が設置され、ベース２にスロット９が形成されており、銅片６がスロット９内に設置され、Ｉ字型コア４はフェライト材料で作られ、ベース２の幅はＵ字型コア３の直径より大きく、且つベース２の幅はＩ字型コア４の直径より大きいトランスのコアの構造である。
【００１２】
本考案の有益な効果は、構造が簡単で安全に使用でき、大電流特性と、高透磁率と、温度変化に対する高い耐性とを有し、フェライト製なのでコアは良好なフィルタリング効果を有する。さらに、二種類のコアを組み合わせることにより、トランスの磁力線とインダクタの磁力線が後続の作業に互に独立しており、相互に影響を及ぼすことなく、従って作業の安定性を改善することができる。さらに、貫通孔を設置することでコアの安全性を向上させ、そして銅片は取り外し可能に取り付けられることにより、さまざまなニーズを満たせることができ、且つ多様な機能を備える。
【００１３】
以上は単に本考案の好ましい実施形態のみであり、本考案を任意の他の形式で限定するものではなく、本考案の技術的な本質に基づいて任意の変更および等効変換は、依然として本考案の特許保護範囲に含まれる。
【符号の説明】
【００１４】
１  コア本体
２  ベース
３  Ｕ字型コア
４  Ｉ字型コア
５  溝
６  銅片
７  コイル
８  貫通孔
９  スロット
【図１】
0003222379.tif 000003
(57)【要約】      （修正有）【課題】物流用コンテナに関し、特に物流用保温コンテナを提供する。【解決手段】コンテナ本体１を備え、コンテナ本体は中空二層構造を有し、中空二層構造の中に保温層２が設置され、コンテナ本体の上端にカバーが設置され、カバーとコンテナ本体はロック機構によってロックされ、そのロック機構は、ラッチ６と、連結軸７と、ロックカバー８とを備え、ラッチとロックカバーは連結軸によって連結され、カバーの内側にはシール装置が配置され、コンテナ本体内には加熱装置が配置され、加熱装置とコンテナ本体との間には距離があり、加熱装置の底部には支持部９が設けられる物流用保温コンテナを開示する。有益な効果は、構造が簡単で、使いやすく、二層構造を採用することで物品を保護することができ、また、集熱シート５とシールリング４とを併用することにより、保温効果が効果的に向上し、保温効果が保たれ、安定性が向上する。【選択図】図１
0003222380.tif 000002
【実用新案登録請求の範囲】
【請求項１】
コンテナ本体を備え、前記コンテナ本体は中空二層構造を有し、
前記中空二層構造の中に保温層が設置され、
前記コンテナ本体の上端にカバーが設置され、
前記カバーと前記コンテナ本体はロック機構によってロックされ、
前記ロック機構は、ラッチと、連結軸と、ロックカバーとを備え、
前記ラッチと前記ロックカバーは連結軸によって連結され、
前記カバーの内側にはシール装置が配置され、
前記コンテナ本体内には加熱装置が配置され、前記加熱装置と前記コンテナ本体との間には距離があり、
前記加熱装置の底部には支持部が設けられることを特徴とする物流用保温コンテナ。
【請求項２】
前記保温層が保温綿で作られることを特徴とする請求項１記載の物流用保温コンテナ。
【請求項３】
前記シール装置はシールリングであることを特徴とする請求項１記載の物流用保温コンテナ。
【請求項４】
前記加熱装置は集熱シートであることを特徴とする請求項１記載の物流用保温コンテナ。
【考案の詳細な説明】
【技術分野】
【０００１】
本考案は、物流用コンテナに関し、特に物流用保温コンテナに関する。
【背景技術】
【０００２】
電子商取引と貿易活動がより頻繁になるのに伴い、物流ビジネスはますます繁栄している。物品の完全性と安全性を保護するために、現在多くの物流会社は物流用コンテナに物品を置くが、従来の物流用コンテナは強度は高いものの、動かすことができない。そして、それが地面で引きずられるとと、その底部が磨耗し易い。ホイールが取り付けられた物流用コンテナの強度は低く、且つ、ほとんどのホイールがコンテナに埋め込まれており、ホイールを設置するためには物流用コンテナの内壁を凹状にする必要があるため、物流用コンテナ内での物品の配置および空間利用に影響を与えことになり、使用には不便である。
【０００３】
従って、上記課題を解決するために、本考案は新しい技術的な解決策を提案する。
【考案の概要】
【考案が解決しようとする課題】
【０００４】
本考案は、一種の物流用保温コンテナを提供する。
【課題を解決するための手段】
【０００５】
本考案が採用する技術的な解決策は：
コンテナ本体を備え、前記コンテナ本体は中空二層構造を有し、中空二層構造の中に保温層が設置され、前記コンテナ本体の上端にカバーが設置され、前記カバーとコンテナ本体はロック機構によってロックされ、前記ロック機構は、ラッチと、連結軸と、ロックカバーとを備え、前記ラッチとロックカバーは連結軸によって連結され、前記カバーの内側にはシール装置が配置され、前記コンテナ本体内には加熱装置が配置され、前記加熱装置とコンテナ本体との間には距離があり、前記加熱装置の底部には支持部が設けられる物流用保温コンテナとする。
【０００６】
また、前記保温層が保温綿で作られる。
【０００７】
また、前記シール装置はシールリングである。
【０００８】
また、前記加熱装置は集熱シートである。
【考案の効果】
【０００９】
本考案の有益な効果は、構造が簡単で、使いやすく、二層構造を採用することで物品を保護することができ、また、集熱シートとシールリングとを併用することにより、保温効果が効果的に向上し、保温効果が保たれ、安定性が向上する。
【図面の簡単な説明】
【００１０】
【図１】本考案の構造の概略図である。
【考案を実施するための形態】
【００１１】
本考案のより良い理解のために、以下、実施形態と図面に基づいて本考案をさらに詳細に説明するが、該実施形態は本考案を説明するためのものであり、本考案の保護範囲を限定するものではない。
【００１２】
図1に示すのは、コンテナ本体１を備え、コンテナ本体１は中空二層構造を有し、中空二層構造の中に保温層２が設置され、コンテナ本体１の上端にカバー３が設置され、カバー３とコンテナ本体１はロック機構によってロックされ、ロック機構は、ラッチ６と、連結軸７と、ロックカバー８とを備え、ラッチ６とロックカバー８は連結軸７によって連結され、カバー３の内側にはシールリング４が配置され、コンテナ本体１内には集熱シート５が配置され、集熱シート５とコンテナ本体１との間には距離があり、集熱シート５の底部には支持部９が設けられ、保温層２が保温綿で作られる物流用保温コンテナである。
【００１３】
本考案の有益な効果は、構造が簡単で、使いやすく、二層構造を採用することで物品を保護することができ、また、集熱シートとシールリングとを併用することにより、保温効果が効果的に向上し、保温効果が保たれ、安定性が向上する。
【００１４】
以上は単に本考案の好ましい実施形態のみであり、本考案を任意の他の形式で限定するものではなく、本考案の技術的な本質に基づいて任意の変更および等効変換は、依然として本考案の特許保護範囲に含まれる。
【符号の説明】
【００１５】
１  コンテナ本体
２  保温層
３  カバー
４  シールリング
５  集熱シート
６  ラッチ
７  連結軸
８  ロックカバー
９  支持部
【図１】
0003222380.tif 000003